(57)【要約】【課題】熱交換器下部に向かう空気の吸込み量を増大し、熱交換器全体を効率良く利用できる空気調和装置の室外ユニットを提供する。【解決手段】熱交換器２１を通して吸い込んだ空気を送風機２２を介して吹き出す形式の空気調和装置の室外ユニット１０において、送風機２２を介して吹き出される空気により回転する回転体４１と、回転体４１の回転により吸い込まれる外の空気を熱交換器２１の送風機２２から離れた部位に供給するダクト４５とを備えた【選択図】図３
2013024514.tif 000002
【特許請求の範囲】
【請求項１】
熱交換器を通して吸い込んだ空気を送風機を介して吹き出す形式の空気調和装置の室外ユニットにおいて、
前記送風機を介して吹き出される空気により回転する回転体と、前記回転体の回転により吸い込まれる外の空気を前記熱交換器の送風機から離れた部位に供給するダクトとを備えたことを特徴とする空気調和装置の室外ユニット。
【請求項２】
筺体の底板上に配置されて少なくとも前記筐体の一側面を形成する熱交換器と、この熱交換器の上部に配置される軸流型送風機とを備える空気調和装置の室外ユニットにおいて、
前記筐体の上面部に、回転体と、前記回転体の回転軸に連結され前記回転体の回転に伴って回転するファンと、前記ファンの回転により形成される空気の流れを前記熱交換器の下部に伝達するダクトと、を備え、前記回転体を前記軸流型送風機により上方に押し出された空気で回転させることを特徴とする請求項１に記載の空気調和装置の室外ユニット。
【請求項３】
前記熱交換器は、上面視略コ字形状に屈曲されて形成されて、前記筐体の左側面から背面及び右側面に沿わせて配置され、前記軸流型送風機は、前記熱交換器の略中央に配置され、前記回転体、及び、前記ファンを前記筐体の前面に寄せて前記筐体の上面部に載置して設けると共に、前記ダクトを前記筐体の前面側に上下に亘って配置したことを特徴とする請求項１または２に記載の空気調和装置の室外ユニット。
【請求項４】
前記回転体は、前記筐体の前面の略中心位置に配置され、前記回転軸は、前記筐体の左側面、及び、右側面に向かって突出し、前記回転軸の両端部に前記ファンをそれぞれ連結したことを特徴とする請求項１乃至３のいずれかに記載の空気調和装置の室外ユニット。
【請求項５】
前記ファンは、回転により外気を吸込み、当該外気を前記ダクトを介して前記熱交換器の下部に搬送して吹き付けることを特徴とする請求項１乃至４のいずれかに記載の空気調和装置の室外ユニット。
【請求項６】
前記ファンは、回転により前記熱交換器の下部を通過した空気を吸い込んで、前記ダクトを介して当該空気を前記筐体の上方に排気することを特徴とする請求項１乃至４のいずれかに記載の空気調和装置の室外ユニット。
【発明の詳細な説明】
【技術分野】
【０００１】
本発明は、側方から熱交換器を通して吸い込んだ空気を上方に吹き出す形式の空気調和装置の室外ユニットに関する。
【背景技術】
【０００２】
従来、空気調和装置の室外ユニットにおいて、筺体の上部に送風機を備えるとともに、筺体の少なくとも一側面を形成する熱交換器を介して筐体の側方から空気を吸い込み、送風機によって熱交換後の空気を筐体の上方に吹き出すものが知られている（例えば、特許文献１参照）。
【先行技術文献】
【特許文献】
【０００３】
【特許文献１】特許第３９８５８４０号公報
【発明の概要】
【発明が解決しようとする課題】
【０００４】
しかしながら、筐体の一側面に熱交換器を配置したとき、筐体の上部に設けられた送風機から遠い位置にある熱交換器下部からの空気の吸込み量が上部に比べて少なくなる。これにより、熱交換器下部の空気の通風量が減少し、当該下部での熱交換効率が低減されるため、熱交換器全体を効率良く利用することができないという問題がある。
本発明は、上述した従来の技術が有する課題を解消し、熱交換器下部に向かう空気の吸込み量を増大し、熱交換器全体を効率良く利用できる空気調和装置の室外ユニットを提供することを目的とする。
【課題を解決するための手段】
【０００５】
上記目的を達成するために、本発明は、熱交換器を通して吸い込んだ空気を送風機を介して吹き出す形式の空気調和装置の室外ユニットにおいて、前記送風機を介して吹き出される空気により回転する回転体と、前記回転体の回転により吸い込まれる外の空気を前記熱交換器の送風機から離れた部位に供給するダクトとを備えたことを特徴とする。
【０００６】
この構成において、筺体の底板上に配置されて少なくとも前記筐体の一側面を形成する熱交換器と、この熱交換器の上部に配置される軸流型送風機とを備える空気調和装置の室外ユニットにおいて、前記筐体の上面部に、回転体と、前記回転体の回転軸に連結され前記回転体の回転に伴って回転するファンと、前記ファンの回転により形成される空気の流れを前記熱交換器の下部に伝達するダクトと、を備え、前記回転体を前記軸流型送風機により上方に押し出された空気で回転させる構成としても良い。また、前記熱交換器は、上面視略コ字形状に屈曲されて形成されて、前記筐体の左側面から背面及び右側面に沿わせて配置され、前記軸流型送風機は、前記熱交換器の略中央に配置され、前記回転体、及び、前記ファンを前記筐体の前面に寄せて前記筐体の上面部に載置して設けると共に、前記ダクトを前記筐体の前面側に上下に亘って配置した構成としても良い。また、前記回転体は、前記前面の略中心位置に配置され、前記回転軸は、前記筐体の左側面、及び、右側面に向かって突出し、前記回転軸の両端部に前記ファンをそれぞれ連結した構成としても良い。また、前記ファンは、回転により外気を吸込み、当該外気を前記ダクトを介して前記熱交換器の下部に搬送して吹き付ける構成としても良い。また、前記ファンは、回転により前記熱交換器の下部を通過した空気を吸い込んで、前記ダクトを介して当該空気を前記筐体の上方に排気する構成としても良い。
【発明の効果】
【０００７】
本発明によれば、熱交換器を通して吸い込んだ空気を送風機を介して吹き出す形式の空気調和装置の室外ユニットにおいて、前記送風機を介して吹き出される空気により回転する回転体と、前記回転体の回転により吸い込まれる外の空気を前記熱交換器の送風機から離れた部位に供給するダクトとを備えたため、消費電力量を増やすことなく、熱交換器の送風機から離れた部位に向かう空気の吸込み量を増大することができ、熱交換器全体を効率良く利用することができる。
【図面の簡単な説明】
【０００８】
【図１】第１実施形態に係る空気調和装置の室外ユニットの側断面図である。
【図２】室外ユニットの内部構成を示す上面図である。
【図３】室外ユニットの外観を示す斜視図である。
【図４】回転ユニットを示す斜視図である。
【図５】吹付けダクトを示す斜視図である。
【図６】第２実施形態の室外ユニットを示す斜視図である。
【図７】第２実施形態の室外ユニットを示す斜視図である。
【図８】第２実施形態の回転ユニットを示す斜視図である。
【発明を実施するための形態】
【０００９】
＜第１実施形態＞
以下、本発明の実施の形態を、図面を参照しながら説明する。
本構成に係る空気調和装置は、室外ユニット１０と室内ユニット（図示せず）とから構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
【００１０】
図１は、室外ユニット１０を右側から見た側断面図であり、図２は、室外ユニット１０の内部構成を示す上面図である。室外ユニット１０は、略直方体箱形状のユニットケース（筐体）１１を備え、このユニットケース１１は、底板１２と、この底板１２の四隅から鉛直方向に延びる支柱１４と、前面パネル１５とを有して構成される。
底板１２上には、図２に示すように、上面視略コ字形状に屈曲されて形成された熱交換器２１が配置されている。具体的には、この熱交換器２１は、ユニットケース１１の側面部を構成し、このユニットケース１１の左側面から背面及び右側面に沿わせて配置されている。また、熱交換器２１の上部には、図１に示すように、室外ファン（軸流型送風機）２２が配置される。この室外ファン２２は、熱交換器２１の上方に配置されるファンモーター（モーター）２３と、このファンモーター２３のモーターシャフト５１に取り付けられたプロペラファン（羽根車）２４とを備えて構成される。このプロペラファン２４は、コ字形状の熱交換器２１の略中央に位置するように配置されている。
【００１１】
プロペラファン２４の周囲には、プロペラファン２４の吸込側の空気を吹出側に案内するベルマウス２５が設けられている。このベルマウス２５は、樹脂成型によって形成され、軽量化及び所望な形状の実現を可能としている。ベルマウス２５は、図１に示すように、吹出開口２５Ａと、この吹出開口２５Ａよりも拡径した吸込開口２５Ｂとを備えて筒状に形成されており、吹出開口２５Ａに連通して吸込開口２５Ｂに向かって徐々に拡径するように傾斜する内壁２９とを備える。ベルマウス２５の吹出開口２５Ａは、プロペラファン２４への人体などの接触を防止するファンガード２６で覆われる。また、ベルマウス２５の周囲には、発泡スチロール等の断熱材２７を介して化粧パネル（図示せず）が設けられている。
【００１２】
ファンモーター２３によりプロペラファン２４が回転駆動されると、室外ユニット１０の周囲、より具体的には図中矢印Ｘで示すように、ユニットケース１１の前面を除いた左側面側、背面側及び右側面側から外気がユニットケース１１内に吸い込まれ、このユニットケース１１の上面部に設けられたベルマウス２５の吹出開口２５Ａを通じて外に排出される。つまり、この室外ユニット１０は、上面から熱交換後の空気を吹き出す上面吹き出しタイプに構成されている。
【００１３】
ユニットケース１１内には、底板１２上に、冷媒回路の一部を構成する圧縮機３０（図１）、アキュムレータ３１、オイルセパレーター３２及びレシーバータンク３３が設けられるとともに、四方弁（図示せず）や膨張弁（図示せず）といった弁体などの冷媒回路構成部品が配管接続されて収容される。これら冷媒回路構成部品の配管の一端側は、熱交換器２１を介して室内ユニットと配管接続され、当該冷媒回路構成部品の配管の他端側は室内ユニットに配管接続され、これにより、冷媒を循環する冷媒回路が構成される。
【００１４】
ユニットケース１１は、当該ユニットケース１１の前面側に底板１２から上方に延びる仕切り板３５を備える。この仕切り板３５は、途中までまっすぐ上方に延びた後に斜め前方に屈曲され、その上端部がベルマウス２５の前面側に配置される電装ボックス３４に接続されている。ユニットケース１１内は、仕切り板３５によって、熱交換室３６と機械室３７とに区分けされ、この機械室３７にメンテナンス頻度の高い圧縮機や冷媒回路構成部品が収容され、熱交換室３６には、メンテナンス頻度の低い熱交換器２１や、圧力容器としてのアキュムレータ３１、オイルセパレーター３２及びレシーバータンク３３が収容される。このため、本実施形態では、前面パネル１５を取り外すと、作業者が前面側からユニットケース１１内の圧縮機３０や電装ボックス３４のメンテナンス作業を容易に行うことができる。更に、機械室３７に収容された圧縮機３０等の機器は、仕切り板３５により直接雨滴がかかることが防止される。
【００１５】
アキュムレータ３１は、流入した冷媒を気液分離して、圧縮機３０に液冷媒が流入することを防止する圧力容器である。本実施形態では、アキュムレータ３１は、底板１２の略中央に配置されるとともに、圧縮機３０やオイルセパレーター３２等と比べて高さの高い形状に形成されている。このため、アキュムレータ３１の上部には、アキュムレータ３１をユニットケース１１に支持する支持部材３８が設けられ、当該アキュムレータ３１の揺動を防止している。
【００１６】
室外ユニット１０は、図３に示すように、空気搬送ユニット５０を備える。なお、この図３は、ファンガード２６を取り外した状態の室外ユニット１０を示している。空気搬送ユニット５０は、回転ユニット５と、ダクトユニット４５とを備える。回転ユニット５は、ユニットケース１１の上面部１１Ａの上に載置されて、電装ボックス３４の上方に配置される。ダクトユニット４５は、回転ユニット５の後述するファン４３を内部に収容し、前面パネル１５の前面側に配置され、ユニットケース１１の上方から下方に亘って延在する。ダクトユニット４５は、中空であり、ダクトユニット４５内には、ファン４３の回転によって空気の流れが形成される。空気搬送ユニット５０は、室外ユニット１０に着脱自在に設けられ、前面パネル１５を取り外してユニットケース１１内の圧縮機３０や電装ボックス３４のメンテナンス作業を行う際には、空気搬送ユニット５０を容易に取り外すことができる。また、ダクトユニット４５は、前面パネル１５の前面側に配置されるため、熱交換器２１を覆って塞いでしまうことなく、ダクトユニット４５をユニットケース１１の上方から下方に亘って延在させることができる。
【００１７】
回転ユニット５は、遠心送風機４０と、遠心送風機４０の両側に配置されたファン４３とを備える。遠心送風機４０は、プロペラファン２４の回転によってユニットケース１１の上方に押し出された空気で回転軸４２を中心に回転駆動する回転体４１と、回転体４１を内部に収容するケース４０Ａとを備える。ケース４０Ａには、上下に貫通する吸込口４０Ｂと、吹出口４０Ｃとを備える。吸込口４０Ｂ、及び、吹出口４０Ｃは、吹出開口２５Ａに略垂直方向に連通している。
【００１８】
ファン４３は、遠心送風機４０の回転軸４２に連結される。ファン４３は、回転軸４２の両端側に連結されており、ユニットケース１１の対向する両側面側から外気温度の空気をそれぞれ吸い込むように配置されている。この構成によれば、プロペラファン２４によりユニットケース１１外に押し出される空気は、ユニットケース１１の上方に押し出されるのに対して、ファン４３は、ユニットケース１１の側方から空気を吸い込むため、ファン４３がプロペラファン２４により吹出された空気を吸い込むのを防ぎ、エアショートを発生しにくくすることができる。
また、ファン４３は、ダクトユニット４５に一体に取り付けられている。ダクトユニット４５は、ユニットケース１１の上方に設けられたファン４３で吸い込まれた空気を、ユニットケース１１の下方に搬送する搬送ダクト４５Ａと、搬送ダクト４５Ａを通ってユニットケース１１の下方に搬送された空気を熱交換器２１に吹き付けるための吹付けダクト４５Ｂとを備える。
【００１９】
回転体４１、及び、ファン４３は、ともに遠心送風機であり、大きな静圧を得ることができるため、ファン４３の上流、或いは、下流に比較的長いダクトユニット４５を備えていても、大きな送風量を得ることができ、効率よく、熱交換器２１の下部に向かう空気の吸込み量を増大させることができる。
【００２０】
図４は、ダクトユニット４５内に収容されたファン４３を破線で示した状態の回転ユニット５を示す図である。図４に示すように、プロペラファン２４により吹出開口２５Ａを介してユニットケース１１から上方に押し出された空気は、図４中の矢印Ｘ１で示されるように、吸込口４０Ｂからケース４０Ａ内を通って、吹出口４０Ｃに流れる。プロペラファン２４によりユニットケース１１の上方に押し出される空気による風量は非常に多いため、ケース４０Ａ内に収容された回転体４１が、この空気の流れによって勢いよく回転する。回転体４１が回転すると、この回転体４１の回転軸に連結されたファン４３が回転し、ファン４３の回転によって、図４中の矢印Ｘ２で示されるように、ユニットケース１１の側方から外気がダクトユニット４５に吸い込まれてダクトユニット４５に沿って搬送ダクト４５Ａ、吹付けダクト４５Ｂへと搬送される。
【００２１】
吹付けダクト４５Ｂは、図５に示すように、ユニットケース１１の底板１２の四隅から鉛直方向に延びる支柱１４の外側を通って搬送ダクト４５Ａに連結されるように、凹部４５Ｄが設けられている。ダクトユニット４５は、搬送ダクト４５Ａ、凹部４５Ｄ、吹付けダクト４５Ｂは、それぞれ風向が転換する部分がＲ形状に湾曲させて形成されている。この構成によれば、ダクトユニット４５内の通風抵抗を低減させて、ファン４３でダクトユニット４５内に吸い込まれた空気の風量を低減させることなく吹付けダクト４５Ｂに搬送することができる。
【００２２】
吹付けダクト４５Ｂには、熱交換器２１に対向する面に吹付け口４５Ｃが設けられる。吹付け口４５Ｃは、吹付けダクト４５Ｂの熱交換器２１に対向する面の略全体を切り抜いて形成される構成であっても良いし、或いは、複数の穴から形成されていても良い。吹付け口４５Ｃは、例えば、風圧の大きい搬送ダクト４５Ａ側に径の小さい穴を設け、風圧の低下に応じて、搬送ダクト４５Ａから離れるに応じて徐々に穴径を広げていくことで、熱交換器２１の下部に水平方向に同様の風量の空気を吹付ける構成としても良い。また、本実施形態では、吹付けダクト４５Ｂは、熱交換器２１の対向する２側面に空気を吹き付ける構成としたが、各吹付けダクト４５Ｂを略Ｌ字状に形成し、ユニットケース１１の背面側にも空気を吹き付けることができる構成としても良い。
【００２３】
＜第２実施形態＞
上述の第１実施形態では、ユニットケース１１の外側にダクトユニット４５を設け、ファン４３でダクトユニット４５内に吸い込んだ空気を搬送ダクト４５Ａを介して熱交換器２１の下部に搬送し、吹付けダクト４５Ｂから熱交換器２１に空気を押し込むようにして吹付ける構成とした。この第１実施形態では、熱交換器２１下部からの空気の吸込み量を増大させることはできるが、ユニットケース１１内の空気の出口は、吹出開口２５Ａの面積でしか無い為、全体的な風量の増加は望めない場合がある。この第２実施形態は、熱交換器２１下部からの空気の吸込み量を増大させるとともに、室外ユニット１０の全体的な風量を増加させるためになされたものである。なお、この第２実施形態の室外ユニット１０の内部構成は、図１、図２で示した第１実施形態の室外ユニット１０と同様であり、その説明を省略する。
【００２４】
室外ユニット１０は、図６、及び、図７に示すように、空気搬送ユニット１５０を備える。なお、この図６は、ファンガード２６、及び、前面パネル１５を取り外した状態の室外ユニット１０を示しており、説明の便宜のためにユニットケース１１内に設けられる冷媒回路構成部品及び配管、並びに電装ボックスの図示を省略した。
空気搬送ユニット１５０は、回転ユニット１１５と、ダクトユニット１４５とを備える。回転ユニット１１５は、ユニットケース１１の上面部１１Ａの上に載置されて、電装ボックス３４の上方に配置される。ダクトユニット１４５は、回転ユニット１１５の後述するファン１４３を内部に収容し、前面パネル１５の前面側に配置され、ユニットケース１１の上方から下方に亘って延在する。ダクトユニット１４５は、中空であり、ダクトユニット１４５内には、ファン１４３の回転によって空気の流れが形成される。
【００２５】
空気搬送ユニット１５０は、室外ユニット１０に着脱自在に設けられ、前面パネル１５を取り外してユニットケース１１内の圧縮機３０や電装ボックス３４のメンテナンス作業を行う際には、空気搬送ユニット１５０を容易に取り外すことができるように構成されている。ダクトユニット１４５は、図７に示すように、搬送ダクト１４５Ａと、吸込みダクト１４５Ｂから構成される。搬送ダクト１４５Ａは、前面パネル１５の内側で、且つ、支柱１４の内側に沿って配置され、ユニットケース１１の内部に収容されて、ユニットケース１１の上方から下方に亘って延在する。吸込みダクト１４５Ｂは、図６に示すように、搬送ダクト１４５Ａから延出し、熱交換器２１の下部内側を略水平方向に熱交換器２１に沿って配置される。吸込みダクト１４５Ｂは、図示は省略したが、熱交換器２１と対向する面に開口を有し、この開口は、中空のダクトユニット１４５に連通している。
【００２６】
ダクトユニット１４５の内部には、図７に示すように、ファン１４３が備えられる。このファン１４３の回転によって、熱交換器２１の下部を通過してユニットケース１１内に導かれる空気は、熱交換器２１の内側から吸込みダクト１４５Ｂ、及び、搬送ダクト１４５Ａを介して吸い上げられ、ダクトユニット１４５の上方に設けられた、排気口１４５Ｃから排出（吐出）される。
【００２７】
回転ユニット１１５は、図８に示すように、遠心送風機４０と、遠心送風機４０の両側に配置されたファン１４３とを備える。遠心送風機４０は、プロペラファン２４の回転によってユニットケース１１の上方に押し出された空気の流れＸ１によって回転軸４２を中心に回転駆動される回転体４１と、回転体４１を内部に収容するケース４０Ａとを備える。ケース４０Ａには、上下に貫通する吸込口４０Ｂと、吹出口４０Ｃとを備える。吸込口４０Ｂ、及び、吹出口４０Ｃは、吹出開口２５Ａに略垂直方向に連通している。
【００２８】
ファン１４３は、遠心送風機４０の回転軸４２に連結される。ファン１４３は、回転軸４２の両端側に連結されており、ダクトユニット１４５を介して熱交換器２１の下側から、熱交換器２１の下部を通過してユニットケース１１内に導かれる空気を吸込み、ダクトユニット１４５を上方に開放して形成された排気口１４５Ｃから排気する。つまり、ファン１４３は熱交換器２１に対して、引き込み式ファンとなるため、ユニットケース１１内部の静圧を上げることがなく、プロペラファン２４、及び、ファン１４３，１４３でユニットケース１１内から空気を吸い上げることができ、結果として、風量（排気量）を増大させることができる。
【００２９】
次に、空気搬送ユニット１５０の動作について詳述する。空気搬送ユニットは、図８に示すように、プロペラファン２４によりユニットケース１１から上方に押し出された空気で回転駆動する回転体４１と、この回転体４１の両側に延出する回転軸４２の両端にそれぞれ連結されたファン１４３，１４３とを備える。プロペラファン２４によりユニットケース１１から上方に押し出された空気は、図８中の矢印Ｘ１で示されるように、吸込口４０Ｂからケース４０Ａ内を通って、吹出口４０Ｃに流れる。プロペラファン２４によりユニットケース１１の上方に押し出される空気による風量は非常に多いため、ケース４０Ａ内に収容された回転体４１が、この空気の流れによって勢いよく回転する。
【００３０】
回転体４１が回転すると、この回転体４１の回転軸４２に連結されたファン１４３が回転し、ファン１４３の回転によって、図８中の矢印Ｘ３で示されるように、ダクトユニット１４５内の空気が排気口１４５Ｃから排出される。これにより、ダクトユニット１４５内は負圧となり、吸込みダクト１４５Ｂに熱交換器２１に対向して形成された開口から空気が吸い込まれる。つまり、熱交換器２１の下部から、ファン１４３の回転によってダクトユニット１４５内が負圧になり、吸込みダクト１４５Ｂから熱交換器２１の下側の空気が吸い込まれる。これにより、熱交換器２１の下部では、ユニットケース１１内に外側から空気が引き込まれ、熱交換器２１内を流れる冷媒と熱交換する。つまり、熱交換器２１の下部からの空気の吸込み量を増大させることができる。ファン１４３によってユニットケース１１内に熱交換器２１の下部を介して引き込まれた空気は、ダクトユニット１４５を介して、排気口１４５Ｃからユニットケース１１の上方に排気される。
【００３１】
この構成によれば、ダクトユニット１４５をユニットケース１１の内部に設置することができるため、室外ユニット１０のコンパクト化を図り、熱交換器２１の下部からの空気の吸込み量を増大し、熱交換器２１全体を効率良く利用することができる。また、熱交換器２１の下部を通過した空気をダクトユニット１４５を介してユニットケース１１の上方に吐き出すため、排出した空気が熱交換器２１に吸い込まれるのを防ぐことができ、エアショートが発生しにくくすることができる。
【００３２】
以上第１実施形態、及び、第２実施形態を用いて説明したように、本発明を適用した実施形態によれば、熱交換器２１を通して吸い込んだ空気を室外ファン２２を介して吹き出す形式の空気調和装置の室外ユニット１０において、室外ファン２２介して吹き出される空気により回転する回転体４１と、回転体４１の回転により吸い込まれる外の空気を熱交換器２１の室外ファン２２から離れた部位に供給するダクト４５とを備えたため、消費電力量を増やすことなく、熱交換器２１の室外ファン２２から離れた部位に向かう空気の吸込み量を増大させることができ、熱交換器２１全体を効率良く利用することができる。
【００３３】
また、本発明を適用した実施形態によれば、ユニットケース１１の底板１２上に配置されて少なくともユニットケース１１の一側面を形成する熱交換器２１と、この熱交換器２１の上部に配置される室外ファン２２とを備える空気調和装置の室外ユニット１０において、ユニットケース１１の上面部１１Ａに、回転体４１と、回転体４１の回転軸４２に連結され回転体４１の回転に伴って回転するファン４３と、ファン４３の回転により形成される空気の流れを熱交換器２１の下部に伝達するダクトユニット４５と、を備え、回転体４１を室外ファン２２により上方に押し出された空気で回転させるため、上方に押し出された空気で回転体４１を回転させて、ファン４３を用いて熱交換器２１下部に向かう空気の吸込み量を増大させることができ、消費電力量を増やすことなく、熱交換器２１全体を効率良く利用することができる。
【００３４】
また、本発明を適用した実施形態によれば、熱交換器２１は、上面視略コ字形状に屈曲されて形成されて、ユニットケース１１の左側面から背面及び右側面に沿わせて配置され、室外ファン２２は、熱交換器２１の略中央に配置され、回転体４１、及び、ファン４３をユニットケース１１の前面パネル１５側に寄せてユニットケース１１の上面部１１Ａに載置して設けると共に、ダクトユニット４５をユニットケース１１の前面側に上下に亘って配置したため、熱交換器２１の熱交換面積を大きくとり、且つ、ダクトユニット４５を熱交換器２１を介してユニットケース１１内に吸い込まれる空気の流れを妨げることなく室外ユニット１０に取り付けることができる。また、回転体４１、及び、ファン４３を、電装ボックス３４の上部で、プロペラファン２４の抵抗とならい位置に設置することができる。
【００３５】
また、本発明を適用した実施形態によれば、回転体４１は、ユニットケース１１の前面の略中心位置に配置され、回転軸４２は、ユニットケース１１の左側面、及び、右側面に向かって突出し、回転軸４２の両端部にファン４３をそれぞれ連結したため、ユニットケース１１の前面側の電装ボックス３４の上部のスペースを有効的に利用して、回転体４１と、二つのファン４３を設けることができる。これにより、ファン４３でユニットケース１１の両側面側から空気を吸い込むことができ、熱交換器２１下部からの空気の吸込み量を増大することができる。
【００３６】
また、本発明を適用した実施形態によれば、ファン４３は、回転により外気を吸込み、当該外気をダクトユニット４５を介して熱交換器２１の下部に搬送して吹き付けるため、上吹きの室外ユニット１０のプロペラファン２４によりユニットケース１１の上方に押し出される空気の一部を利用して回転体４１と、回転体４１に連結されたファン４３を回転させ、熱交換器２１の吸込み量の少ない下部にユニットケース１１の外の空気を押し込むことができるため、消費電力量を増大することなく、熱交換器２１の下部の空気の吸込み量を増大させることができる。
【００３７】
また、本発明を適用した実施形態によれば、ファン４３は、回転により熱交換器２１の下部を通過した空気を吸い込んで、ダクトユニット１４５を介して当該空気をユニットケース１１の上方に排気するため、上吹きの室外ユニット１０のプロペラファン２４によりユニットケース１１の上方に押し出される空気の一部を利用して回転体４１と、回転体４１に連結されたファン４３を回転させ、熱交換器２１の吸込み量の少ない下部の内側から、熱交換されたユニットケース１１内の空気を吸い上げることができ。これにより、熱交換器２１の下部がユニットケース１１内で負圧となり、熱交換器２１の下部からユニットケース１１の外の空気がユニットケース１１内に吸い込まれるため、消費電力量を増大することなく、熱交換器２１の下部の空気の吸込み量を増大させることができる。
【符号の説明】
【００３８】
１０  室外ユニット
１１  ユニットケース（筐体）
１２  底板
１５  前面パネル（前面）
２１  熱交換器
２２  室外ファン（軸流型送風機、送風機）
２５Ａ  吹出開口
２５Ｂ  吸込開口
４１  回転体
４２  回転軸
４３、１４３  ファン
４５、１４５  ダクトユニット
５０、１５０  空気搬送ユニット
１５０  空気搬送ユニット
【図１】
2013024514.tif 000003
【図２】
2013024514.tif 000004
【図３】
2013024514.tif 000005
【図４】
2013024514.tif 000006
【図５】
2013024514.tif 000007
【図６】
2013024514.tif 000008
【図７】
2013024514.tif 000009
【図８】
2013024514.tif 000010